(57)【要約】 【課題】  一対のカシメ片の拡径変形を防止する。【解決手段】  第１カシメ片２７（一方のカシメ片）と第２カシメ片２８（他方のカシメ片）の延出端部２７Ａ，２８Ａの周面同士を重ね合わせた状態で、両カシメ片２７，２８を縮径させつつリング状保持部材１６の外周にカシメ付けることで、シールド部材１４がシールドシェル２３に接続される。第１カシメ片２７の延出端部２７Ａは、延出端側に向かって次第に幅が広がる形態とされているので、カシメ付け状態では、この第１カシメ片２７の両側縁部２７Ｂに第２カシメ片２８の一対の係止片２８Ｂが係止することにより、両カシメ片２７，２８の拡径変形が規制される。これにより、リング状保持部材１６とシールド部材１４は、一対のカシメ片２７，２８により確実にシールドシェル２３に接続された状態に保たれる。【選択図】  図３
2006310139.tif 000002
【特許請求の範囲】
【請求項１】
複数本の電線と、
編組線からなり、前記複数本の電線を一括して包囲するシールド部材と、
前記電線の端末に接続した複数の端子金具を収容するハウジングと、
前記ハウジングを収容するシールドシェルと、
前記シールド部材の端末部に固着される金属製のリング状保持部材と、
前記シールドシェルに形成され、前記リング状保持部材を抱き込むように片持ち状に延出した形態の一対のカシメ片とを備えてなり、
前記一対のカシメ片の延出端部の周面同士を重ね合わせた状態で、前記両カシメ片を縮径させつつ前記リング状保持部材の外周にカシメ付けることで、前記シールド部材が前記シールドシェルに接続されるようになっているシールドコネクタにおいて、
一方の前記カシメ片の延出端部は、その側縁部をテーパ状とすることで延出端側に向かって次第に幅が拡がる形態とされており、
他方の前記カシメ片の延出端部には、カシメ付け状態で前記一方のカシメ片の両側縁部に係止可能な一対の係止片が形成されていることを特徴とするシールドコネクタ。
【請求項２】
カシメ付け状態では、前記係止片が、前記他方のカシメ片の周面から略Ｌ字形に突出する形態とされ、前記一方のカシメ片の側縁部が前記係止片と前記一方のカシメ片との間で径方向に挟み付けられる構成としたことを特徴とする請求項１記載のシールドコネクタ。
【請求項３】
前記シールドシェルには位置決め孔が形成され、
前記リング状保持部材には、前記位置決め孔に係止可能な位置決め突起が形成されていることを特徴とする請求項１又は請求項２記載のシールドコネクタ。
【発明の詳細な説明】
【技術分野】
【０００１】
本発明は、シールドコネクタに関するものである。
【背景技術】
【０００２】
特許文献１には、複数本のノンシールド電線を編組線からなるシールド部材で包囲して一括シールドするシールド導電路が開示されている。この種のシールド導電路の端末部に取り付けられるコネクタとしては、電線の端末に接続した複数の端子金具をハウジング内に収容するとともに、ハウジングをシールドシェル内に収容し、シールド部材の端末部をシールドシェルに接続する構造のものが考えられる。  
シールド部材とシールドシェルとの接続手段としては、シールド部材の端末部に金属製のリング状保持部材を固着するとともに、シールドシェルには、リング状保持部材を抱き込むように片持ち状に延出する形態の一対のカシメ片を形成し、一対のカシメ片の延出端の周面同士を重ね合わせた状態で、両カシメ片を縮径させつつリング状保持部材の外周にカシメ付けることにより、シールド部材をリング状保持部材を介してシールドシェルに接続する構造が考えられる。
【特許文献１】特開２００２−３７３７３７公報
【発明の開示】
【発明が解決しようとする課題】
【０００３】
上記のように片持ち状に延出する一対のカシメ片をカシメ付ける構造では、カシメ片がスプリングバックのために拡径変形しようとし、その結果、リング状保持部材及びシールド部材を固着する力が低下することが懸念される。  
本発明は上記のような事情に基づいて完成されたものであって、一対のカシメ片の拡径変形を防止することを目的とする。
【課題を解決するための手段】
【０００４】
上記の目的を達成するための手段として、請求項１の発明は、複数本の電線と、編組線からなり、前記複数本の電線を一括して包囲するシールド部材と、前記電線の端末に接続した複数の端子金具を収容するハウジングと、前記ハウジングを収容するシールドシェルと、前記シールド部材の端末部に固着される金属製のリング状保持部材と、前記シールドシェルに形成され、前記リング状保持部材を抱き込むように片持ち状に延出した形態の一対のカシメ片とを備えてなり、前記一対のカシメ片の延出端部の周面同士を重ね合わせた状態で、前記両カシメ片を縮径させつつ前記リング状保持部材の外周にカシメ付けることで、前記シールド部材が前記シールドシェルに接続されるようになっているシールドコネクタにおいて、一方の前記カシメ片の延出端部は、その側縁部をテーパ状とすることで延出端側に向かって次第に幅が拡がる形態とされており、他方の前記カシメ片の延出端部には、カシメ付け状態で前記一方のカシメ片の両側縁部に係止可能な一対の係止片が形成されているところに特徴を有する。
【０００５】
請求項２の発明は、請求項１に記載のものにおいて、カシメ付け状態では、前記係止片が、前記他方のカシメ片の周面から略Ｌ字形に突出する形態とされ、前記一方のカシメ片の側縁部が前記係止片と前記一方のカシメ片との間で径方向に挟み付けられる構成としたところに特徴を有する。
【０００６】
請求項３の発明は、請求項１または請求項２に記載のものにおいて、前記シールドシェルには位置決め孔が形成され、前記リング状保持部材には、前記位置決め孔に係止可能な位置決め突起が形成されているところに特徴を有する。
【発明の効果】
【０００７】
＜請求項１の発明＞
一方のカシメ片の延出端部は、延出端側に向かって次第に幅が広がる形態とされているので、この一方のカシメ片の両側縁部に他方のカシメ片の一対の係止片が係止することにより、両カシメ片の拡径変形が規制される。これにより、リング状保持部材とシールド部材は、一対のカシメ片により確実にシールドシェルに接続された状態に保たれる。
【０００８】
＜請求項２の発明＞
カシメ付け状態では、一方のカシメ片の側縁部が係止片と一方のカシメ片との間で径方向に挟み付けられるようにしたので、両カシメ片のカシメ強度が向上する。
【０００９】
＜請求項３の発明＞
位置決め孔に位置決め突起を係止させることにより、リング状保持部材が両カシメ片に対して位置決めされるので、カシメ付け工程が安定して行われる。
【発明を実施するための最良の形態】
【００１０】
＜実施形態１＞
以下、本発明を具体化した実施形態１を図１乃至図６を参照して説明する。本実施形態のシールドコネクタは、シールド導電路１０と、コネクタ本体２０と、シールド部材１４とシールドシェル２３とを接続する手段とを備えて構成されている。  
シールド導電路１０は、導体１２の外周を合成樹脂製の絶縁被覆１３で包囲したノンシールドタイプの複数本の電線１１と、金属細線をメッシュ状に編み込んだ編組線からなる可撓性を有する筒状のシールド部材１４と、シールド部材１４を包囲する合成樹脂製の保護チューブ１５と、シールド部材１４の前端部（図１における左端部）に固着された金属製のリング状保持部材１６とからなる。複数本の電線１１は、一纏めにしてシールド部材１４内に挿通されることで一括してシールドされている。保護チューブ１５の前端の開口からはシールド部材１４の前端部が前方へ導出されて露出し、シールド部材１４の前端の開口からは複数本の電線１１の前端部が前方へ導出されて露出し、各電線１１の前端部においては、絶縁被覆１３が剥き取られて導体１２が露出した状態となっている。
【００１１】
リング状保持部材１６は、金属製のインナリング１７と、同じく金属製のアウタリング１８とからなる。両リング１７，１８の間にシールド部材１４の前端部を挟んだ状態でアウタリング１８を縮径させるようにカシメ付けることで、シールド部材１４の前端部が両リング１７，１８の間で径方向に挟み付けられた状態で導通可能に固着されている。
【００１２】
コネクタ本体２０は、合成樹脂製のハウジング２１と、ハウジング２１内に収容される複数の端子金具２２と、ハウジング２１を包囲する金属製のシールドシェル２３とから構成される。端子金具２２には、電線１１の端末部が導体１２との導通を可能に圧着接続されている。ハウジング２１に端子金具２２を収容した状態では、端子金具２２に接続された電線１１がハウジング２１外後方（図１における右方）へ導出されている。シールドシェル２３は、下面側に開放された箱状をなすシェル本体２４と、シェル本体２４に対しその下面の開口を塞ぐように組み付けられる平板状のベースプレート２５とからなり、シールドシェル２３の前端部にハウジング２１が保持されている。
【００１３】
上記したシールド導電路１０は、シェル本体２４の後面板の切欠部２６に貫通され、保護チューブ１５の前端部が切欠部２６に保持され、保護チューブ１５から導出されたシールド部材１４の前端部がシールドシェル２３内に収容され、シールド部材１４から導出された電線１１がシールドシェル２３の内部で前後方向に配索されている。
【００１４】
次に、シールド部材１４とシールドシェル２３との接続手段について説明する。シールドシェル２３のベースプレート２５におけるリング状保持部材１６と対応する位置には、左右一対のカシメ片２７，２８が形成されている。右側に位置する第１カシメ片２７（本発明の構成要件である一方のカシメ片）は、リング状保持部材１６の外周のうち略右半分領域に沿うように片持ち状に延出した短冊状をなし、左側に位置する第２カシメ片２８（本発明の構成要件である他方のカシメ片）は、リング状保持部材１６の外周のうち略左半分領域に沿うように片持ち状に延出した短冊状をなしている。つまり、両カシメ片２７，２８は、リング状保持部材１６を抱き込むような形態で延出されていて、その延出端部２７Ａ，２８Ａ同士が径方向に重なるような長さを有している。
【００１５】
第１カシメ片２７の延出端部は、その両側縁部（前縁部と後縁部）がテーパ状の係止縁部２７Ｂとされた被係止部２７Ａとなっている。被係止部２７Ａは、羽子板状、即ち第１カシメ片２７の延出端側に向かって幅が次第に狭まる形状をなしている。一方、第２カシメ片２８の延出端部２８Ａには、その前後両側縁部から径方向外側へ突出した形態の一対の係止片２８Ｂが形成されている。係止片２８Ｂは、被係止部２７Ａの前後両側の係止縁部２７Ｂと対応する位置に配置されている。カシメ付け前の状態では、図６に示すように、第２カシメ片２８の外面に対してほぼ直角に突出する形態とされている。
【００１６】
シールド導電路１０のシールド部材１４をシールドシェル２３に対して導通可能に取り付ける際には、まず、概ね筒状をなしている両カシメ片２７，２８の中に後方からリング状保持部材１６を進入させ、リング状保持部材１６の前端縁から下向きに突出する位置決め突起１９を、ベースプレート２５の位置決め孔２９に係止することにより、リング状保持部材１６とシールド部材１４の前端部をベースプレート２５に対して位置決めする。
【００１７】
次に、図５に示すように、第１カシメ片２７の延出端部（被係止部２７Ａ）の内周を第２カシメ片２８の延出端部２８Ａの外面に重ね合わせ、係止縁部２７Ｂを係止片２８Ｂに対応させる。これにより、両係止片２８Ｂの間に被係止部２７Ａが配置される。この状態で、カシメ装置（図示せず）により、両カシメ片２７，２８を縮径するように変形させつつリング状保持部材１６の外周にカシメ付けるとともに、両係止片２８Ｂを、内側へ変位させて係止縁部２７Ｂに当接させつつ、内側へ倒れるように略Ｌ字形に変形させて第１カシメ片２７の外周面にカシメ付ける（図４を参照）。
【００１８】
これにより、両カシメ片２７，２８の延出端部２７Ａ，２８Ａが固着されるとともに、両カシメ片２７，２８がリング状保持部材１６の外周に固着され、カシメ片２７，２８とリング状保持部材１６を介してシールド部材１４とベースプレート２５（シールドシェル２３）が導通可能に且つ移動不能に接続される。この状態では、図３に示すように、周方向に対して傾斜している前後両係止縁部２７Ｂに対して前後両係止片２８Ｂが係止することにより、両カシメ片２７，２８が拡径するように相対変位することが規制されるので、両カシメ片２７，２８はリング状保持部材１６の外周に固着された状態に保持される。これにより、リング状保持部材１６とシールド部材１４は、一対のカシメ片２７，２８により確実にシールドシェル２３に接続された状態に保たれる。
【００１９】
また、第１カシメ片２７の係止縁部２７Ｂが、第２カシメ片２８と係止片２８Ｂとの間で径方向に挟み付けられることにより、両カシメ片２７，２８のカシメ強度が高められており、これにより、両カシメ片２７，２８の延出端部２７Ａ，２８Ａ同士がその周面同士を径方向に離間させるように相対変位することが規制されている。
【００２０】
また、シールドシェル２３のベースプレート２５に形成した位置決め孔２９に対し、リング状保持部材１６に形成した位置決め突起１９を係止させることにより、リング状保持部材１６が両カシメ片２７，２８に対して位置決めされるようにしたので、カシメ付け工程が安定して行われる。
【００２１】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）上記実施形態では係止片がカシメ片の周面から略Ｌ字形に延出するようにしたが、本発明によれば、係止片はカシメ片の周面から略Ｉ字形に延出する形態としてもよい。
（２）上記実施形態では位置決め手段（位置決め孔と位置決め突起）によりインナリングをカシメ片に対して位置決めしたが、本発明によれば、このような位置決め手段を設けない構成としてもよい。
【図面の簡単な説明】
【００２２】
【図１】実施形態１の縦断面図
【図２】ベースプレートにハウジングとシールド導電路を取り付けた状態をあらわす平面図
【図３】カシメ付け状態をあらわす一部切欠部分拡大平面図
【図４】カシメ付け状態をあらわす部分拡大斜視図
【図５】カシメ付け前の状態をあらわす部分拡大斜視図
【図６】第２カシメ片の部分拡大斜視図
【符号の説明】
【００２３】
１１…電線
１４…シールド部材
１６…リング状保持部材
１９…位置決め突起
２１…ハウジング
２２…端子金具
２３…シールドシェル
２７…第１カシメ片（一方のカシメ片）
２７Ａ…被係止部（第１カシメ片の延出端部）
２８…第２カシメ片（他方のカシメ片）
２８Ａ…第２カシメ片の延出端部
２８Ｂ…係止片
２９…位置決め孔
【図１】
2006310139.tif 000003
【図２】
2006310139.tif 000004
【図３】
2006310139.tif 000005
【図４】
2006310139.tif 000006
【図５】
2006310139.tif 000007
【図６】
2006310139.tif 000008